(57)【要約】【課題】車両の室温の異常を事前に予測し、適切な通知や対処を実行すること。【解決手段】ナビゲーション装置２が出力する時刻情報、自車両の向き、地図情報、日照センサ２２が出力する日照量、車外カメラ２５が出力する遮蔽物の有無に基づいて、温度変化予測部１１が自車両に差し込む日照量の変化を予測し、さらに外気温センサ２３および室内気温センサ２４の出力を用いて車室温の変化を高精度に予測する。ユーザ位置検出部１３は、車外カメラ２５、シートセンサ２６、イグニッションセンサ２７、通信系７の出力をもとにユーザの位置を検出し、危険判定部１２が温度変化予測部１１とユーザ位置検出部１３の出力から車両における異常室温の発生および危険が生ずる可能線を判定する。通知処理部１５は、危険判定部１２およびユーザ位置検出部１３の出力に基づいて使用する通知手段を選択して通知処理を実行する。【選択図】        図１
2005343386.tif 000002
【特許請求の範囲】
【請求項１】
車両の室温を監視する車室温監視装置であって、
自車両周辺の状況に基づいて車室の温度変化を予測する温度変化予測手段を備えたことを特徴とする車室温監視装置。
【請求項２】
前記温度変化予測手段による予測結果に基づいて、車室の空調処理を制御する空調処理手段をさらに備えたことを特徴とする請求項１に記載の車室温監視装置。
【請求項３】
前記空調処理手段は、乗員の乗車前に予め空調を行なう事前空調処理の実行時において、前記温度変化予測手段による予測結果に基づいて前記事前空調処理の開始タイミングおよび／または処理内容を決定することを特徴とする請求項１または２に記載の車室温監視装置。
【請求項４】
前記温度変化予測手段による予測結果に基づいて、車両の室温に異常が発生する可能性がある場合に通知処理を実行する通知処理手段をさらに備えたことを特徴とする請求項１，２または３に記載の車室温監視装置。
【請求項５】
前記通知処理手段は、前記温度変化予測手段の予測結果に基づいて、前記通知処理の実行可否の選択、該通知処理における通知先の選択および通知方法の選択のうち、少なくともいずれか一つを実行する通知選択手段をさらに備えたことを特徴とする請求項４に記載の車室温監視装置。
【請求項６】
乗員の位置を検出する乗員位置検出手段をさらに備え、前記通知選択手段は、前記乗員の位置をさらに用いて前記通知処理の実行可否の選択、該通知処理における通知先の選択および通知方法の選択を実行することを特徴とする請求項５に記載の車室温監視装置。
【請求項７】
前記通知選択手段は、乗員、自車両周辺、自車両の管理者、駐車場所の管理者から前記通知先を選択することを特徴とする請求項５または６に記載の車室温監視装置。
【請求項８】
前記通知選択手段は、車外への警音器、車載灯具、車載通信手段、音声出力手段、表示手段から通知に使用する通知手段を選択することを特徴とする請求５，６または７に記載の車室温監視装置。
【請求項９】
前記車載通信手段は、ネットワークを介して通信を行なう間接通信手段を備えたことを特徴とする請求項８に記載の車室温監視装置。
【請求項１０】
前記車載通信手段は、乗員が所持する通信端末と直接に通信する直接通信手段を備えたことを特徴とする請求項８または９に記載の車室温監視装置。
【請求項１１】
前記温度変化予測手段は、日照量の変化を予測し、該日照量の変化から前記車室の温度変化を予測することを特徴とする請求項１〜１０のいずれか一つに記載の車室温監視装置。
【請求項１２】
前記温度変化予測手段は、自車両周辺の日照量、時刻、自車両の向き、遮蔽物の有無から前記日照量の変化を予測することを特徴とする請求項１１に記載の車室温監視装置。
【請求項１３】
前記温度変化予測手段は、車外気温および車内気温をさらに用いて前記車室の温度変化を予測することを特徴とする請求項１〜１２のいずれか一つに記載の車室温監視装置。
【発明の詳細な説明】
【技術分野】
【０００１】
この発明は、車両の室温を監視する車室温監視装置に関し、特に車両の温度変化を高精度に予測し、適切な処理を実行する車室温監視装置に関する。
【背景技術】
【０００２】
従来、車両には走行中の車内を快適な室温に保つべく、空調設備が搭載されている。さらに近年では、乗員、例えばユーザが車内に居ない場合であっても、車内温度を制御する技術が考案されている。
【０００３】
たとえば、特許文献１は、電動エアコンを電話機によって遠隔操作可能とすることで、ユーザが車両から離れた状態で車内の気温を制御可能としている。
【０００４】
【特許文献１】特開平８−１４９６０８号公報
【発明の開示】
【発明が解決しようとする課題】
【０００５】
上述した従来の技術では、ユーザが車両から離れた状態で車室の温度を任意に制御することができる。この他にも、ユーザが車両から離れている間に車室の室温に異常（極高温、極低温）が生じる場合があるので、このような状態でユーザによる制御を受けることなく、車両か自動的に車室温を監視する技術が従来から考案されていた。
【０００６】
かかる技術は、例えば、夏場の車室温が異常上昇や冬場の異常低下を検出してユーザに通知する、もしくは空調を自動制御することで、ユーザ乗車時の快適さを向上するのみならず、例えば子供などを車両に残してユーザが車両を離れる際に子供の安全を確保する上でも重要な技術である。
【０００７】
ところで従来の技術では、車室の気温を監視することで車室温の異常を検出しているが、車室温の異常を検出する場合には、異常の発生前、すなわち異常が発生する可能性のある状態で通知処理や空調処理を実行することが望ましい。
【０００８】
しかしながら、従来技術のように車室温自体を測定して、異常発生前に通知や対処を行なおうとすると、検出する室温に余裕を持たせて早めに検出するか、室温の変化量から異常温度への到達を予測することとなる。
【０００９】
ところが、実際の車室温の変化は、車両周辺の状況、特に車両に入る日差しの状態に依存し、一様に変化するものではない。そのため、従来の技術では、車両の室温変化を正確に予測できないという問題点があった。
【００１０】
この発明は、上述した従来技術における課題を解決するためになされたものであり、車両の室温の異常を事前に予測し、適切な通知や対処を実行する車室温度監視装置を提供することを目的とする。
【課題を解決するための手段】
【００１１】
上述した課題を解決し、目的を達成するため、請求項１の発明に係る車室温監視装置は車両の室温を監視する車室温監視装置であって、自車両周辺の状況に基づいて車室の温度変化を予測する温度変化予測手段を備えたことを特徴とする。
【００１２】
この請求項１の発明によれば車室温監視装置は、自車両周辺の状況に基づいて車室の温度変化を予測する。
【００１３】
また、請求項２の発明に係る車室温監視装置は、請求項１の発明において、前記温度変化予測手段による予測結果に基づいて、車室の空調処理を制御する空調処理手段をさらに備えたことを特徴とする。
【００１４】
この請求項２の発明によれば車室温監視装置は、自車両周辺の状況に基づいて車室の温度変化を予測し、予測結果に基づいて車室の空調処理を制御する。
【００１５】
また、請求項３の発明に係る車室温監視装置は、請求項１または２の発明において、前記空調処理手段は、乗員の乗車前に予め空調を行なう事前空調処理の実行時において、前記温度変化予測手段による予測結果に基づいて前記事前空調処理の開始タイミングおよび／または処理内容を決定することを特徴とする。
【００１６】
この請求項３の発明によれば車室温監視装置は、乗員の乗車前に予め空調を行なう場合に、自車両周辺の状況に基づいて車室の温度変化を予測し、予測結果に基づいて空調処理の開始タイミングおよび／または処理内容を決定する。
【００１７】
また、請求項４の発明に係る車室温監視装置は、請求項１，２または３の発明において、前記温度変化予測手段による予測結果に基づいて、車両の室温に異常が発生する可能性がある場合に通知処理を実行する通知処理手段をさらに備えたことを特徴とする。
【００１８】
この請求項４の発明によれば車室温監視装置は、自車両周辺の状況に基づいて車室の温度変化を予測し、車両の室温に異常が発生する可能性がある場合に通知処理を実行する。
【００１９】
また、請求項５の発明に係る車室温監視装置は、請求項４の発明において、前記閉鎖必要性検出手段は、前記通知処理手段は、前記温度変化予測手段の予測結果に基づいて、前記通知処理の実行可否の選択、該通知処理における通知先の選択および通知方法の選択のうち、少なくともいずれか一つを実行する通知選択手段をさらに備えたことを特徴とする。
【００２０】
この請求項５の発明によれば車室温監視装置は、自車両周辺の状況に基づいて車室の温度変化を予測し、予測結果に基づいて通知処理の実行可否や、通知処理における通知先、通知方法などを選択する。
【００２１】
また、請求項６の発明に係る車室温監視装置は、請求項５の発明において、乗員の位置を検出する乗員位置検出手段をさらに備え、前記通知選択手段は、前記乗員の位置をさらに用いて前記通知処理の実行可否の選択、該通知処理における通知先の選択および通知方法の選択を実行することを特徴とする。
【００２２】
この請求項６の発明によれば車室温監視装置は、自車両周辺の状況に基づいて車室の温度変化を予測するとともに乗員の位置を検出し、車室の温度変化の予測結果と乗員の位置とに基づいて通知処理の実行可否や、通知処理における通知先、通知方法などを選択する。
【００２３】
また、請求項７の発明に係る車室温監視装置は、請求項５または６の発明において、前記通知選択手段は、乗員、自車両周辺、自車両の管理者、駐車場所の管理者から前記通知先を選択することを特徴とする。
【００２４】
この請求項７の発明によれば車室温監視装置は、自車両周辺の状況に基づいて車室の温度変化を予測し、車両の室温に異常が発生する可能性がある場合に、乗員、自車両周辺、自車両の管理者、駐車場所の管理者から通知先を選択して通知処理を実行する。
【００２５】
また、請求項８の発明に係る車室温監視装置は、請求項５，６または７の発明において、前記通知選択手段は、車外への警音器、車載灯具、車載通信手段、音声出力手段、表示手段から通知に使用する通知手段を選択することを特徴とする。
【００２６】
この請求項８の発明によれば車室温監視装置は、自車両周辺の状況に基づいて車室の温度変化を予測し、車両の室温に異常が発生する可能性がある場合に、車外への警音器、車載灯具、車載通信手段、音声出力手段、表示手段から通知に使用する通知手段を選択して通知処理を実行する。
【００２７】
また、請求項９の発明に係る車室温監視装置は、請求項８の発明において、前記車載通信手段は、ネットワークを介して通信を行なう間接通信手段を備えたことを特徴とする。
【００２８】
この請求項９の発明によれば車室温監視装置は、自車両周辺の状況に基づいて車室の温度変化を予測し、車両の室温に異常が発生する可能性がある場合に、ネットワークを介して通信を行なう間接通信手段を含む複数の手段から通知に使用する通知手段を選択して通知処理を実行する。
【００２９】
また、請求項１０の発明に係る車室温監視装置は、請求項８または９の発明において、前記車載通信手段は、乗員が所持する通信端末と直接に通信する直接通信手段を備えたことを特徴とする。
【００３０】
この請求項１０の発明によれば車室温監視装置は、自車両周辺の状況に基づいて車室の温度変化を予測し、車両の室温に異常が発生する可能性がある場合に、乗員が所持する通信端末と直接に通信する直接通信手段を含む複数の手段から通知に使用する通知手段を選択して通知処理を実行する。
【００３１】
また、請求項１１の発明に係る車室温監視装置は、請求項１〜１０の発明において、前記温度変化予測手段は、日照量の変化を予測し、該日照量の変化から前記車室の温度変化を予測することを特徴とする。
【００３２】
この請求項１１の発明によれば車室温監視装置は、日照量の変化を予測し、この日照量の変化から車室の温度変化を予測する。
【００３３】
また、請求項１２の発明に係る車室温監視装置は、請求項１１の発明において、前記温度変化予測手段は、自車両周辺の日照量、時刻、自車両の向き、遮蔽物の有無から前記日照量の変化を予測することを特徴とする。
【００３４】
この請求項１２の発明によれば車室温監視装置は、自車両周辺の日照量、時刻、自車両の向き、遮蔽物の有無から日照量の変化を予測し、この日照量の変化から車室の温度変化を予測する。
【００３５】
また、請求項１３の発明に係る車室温監視装置は、請求項１〜１２の発明において、前記温度変化予測手段は、車外気温および車内気温をさらに用いて前記車室の温度変化を予測することを特徴とする。
【００３６】
この請求項１３の発明によれば車室温監視装置は、日照量の変化を予測するとともに車外気温や車内気温を取得し、日照量の変化、車外気温、車内気温を用いて車室の温度変化を予測する。
【発明の効果】
【００３７】
請求項１の発明によれば車室温監視装置は、自車両周辺の状況に基づいて車室の温度変化を予測するので、車室の温度変化を高精度に予測可能な車室温監視装置を得ることができるという効果を奏する。
【００３８】
また、請求項２の発明によれば車室温監視装置は、自車両周辺の状況に基づいて車室の温度変化を予測し、予測結果に基づいて車室の空調処理を制御するので、車室の温度変化を高精度に予測し、適切な空調制御を実行する車室温監視装置を得ることができるという効果を奏する。
【００３９】
また、請求項３の発明によれば車室温監視装置は、乗員の乗車前に予め空調を行なう場合に、自車両周辺の状況に基づいて車室の温度変化を予測し、予測結果に基づいて空調処理の開始タイミングおよび／または処理内容を決定するので、車室の温度変化を高精度に予測し、乗員の乗車前における空調処理を最適化可能な車室温監視装置を得ることができるという効果を奏する。
【００４０】
また、請求項４の発明によれば車室温監視装置は、自車両周辺の状況に基づいて車室の温度変化を予測し、車両の室温に異常が発生する可能性がある場合に通知処理を実行するので、車両の室温の異常を事前に予測し、適切な通知を実行する車室温監視装置を得ることができるという効果を奏する。
【００４１】
また、請求項５の発明によれば車室温監視装置は、自車両周辺の状況に基づいて車室の温度変化を予測し、予測結果に基づいて通知処理の実行可否や、通知処理における通知先、通知方法などを選択するので、車両の室温の異常を事前に予測し、通知処理を最適化可能な車室温監視装置を得ることができるという効果を奏する。
【００４２】
また、請求項６の発明によれば車室温監視装置は、自車両周辺の状況に基づいて車室の温度変化を予測するとともに乗員の位置を検出し、車室の温度変化の予測結果と乗員の位置とに基づいて通知処理の実行可否や、通知処理における通知先、通知方法などを選択するので、車室の温度変化や乗員に位置に適応した通知処理を実行する車室温監視装置を得ることができるという効果を奏する。
【００４３】
また、請求項７の発明によれば車室温監視装置は、自車両周辺の状況に基づいて車室の温度変化を予測し、車両の室温に異常が発生する可能性がある場合に、乗員、自車両周辺、自車両の管理者、駐車場所の管理者から通知先を選択して通知処理を実行するので、車両の室温の異常を事前に予測し、適切な通知先に通知する車室温監視装置を得ることができるという効果を奏する。
【００４４】
また、請求項８の発明によれば車室温監視装置は、自車両周辺の状況に基づいて車室の温度変化を予測し、車両の室温に異常が発生する可能性がある場合に、車外への警音器、車載灯具、車載通信手段、音声出力手段、表示手段から通知に使用する通知手段を選択して通知処理を実行するので、車両の室温の異常を事前に予測し、適切な通知処理を選択して通知する車室温監視装置を得ることができるという効果を奏する。
【００４５】
また、請求項９の発明によれば車室温監視装置は、自車両周辺の状況に基づいて車室の温度変化を予測し、車両の室温に異常が発生する可能性がある場合に、ネットワークを介して通信を行なう間接通信手段を含む複数の手段から通知に使用する通知手段を選択して通知処理を実行するので、車両の室温の異常を事前に予測し、ネットワークを介して通知可能な車室温監視装置を得ることができるという効果を奏する。
【００４６】
また、請求項１０の発明によれば車室温監視装置は、自車両周辺の状況に基づいて車室の温度変化を予測し、車両の室温に異常が発生する可能性がある場合に、乗員が所持する通信端末と直接に通信する直接通信手段を含む複数の手段から通知に使用する通知手段を選択して通知処理を実行するので、車両の室温の異常を事前に予測し、乗員が所持する端末に遠隔通知可能な車室温監視装置を得ることができるという効果を奏する。
【００４７】
また、請求項１１の発明によれば車室温監視装置は、日照量の変化を予測し、この日照量の変化から車室の温度変化を予測するので、日照量の変化に基づいて車室の温度変化を高精度に予測可能な車室温監視装置を得ることができるという効果を奏する。
【００４８】
また、請求項１２の発明によれば車室温監視装置は、自車両周辺の日照量、時刻、自車両の向き、遮蔽物の有無から日照量の変化を予測し、この日照量の変化から車室の温度変化を予測するので、日照量の変化を高精度に予測し、もって車室温の予測精度をさらに向上した車室温監視装置を得ることができるという効果を奏する。
【００４９】
また、請求項１３の発明によれば車室温監視装置は、日照量の変化を予測するとともに車外気温や車内気温を取得し、日照量の変化、車外気温、車内気温を用いて車室の温度変化を予測するので、日照量の変化と車内外の気温に基づいて車室の温度変化を高精度に予測可能な車室温監視装置を得ることができるという効果を奏する。
【発明を実施するための最良の形態】
【００５０】
以下に添付図面を参照して、この発明に係る車室温監視装置の好適な実施例である車室温管理装置について詳細に説明する。
【実施例】
【００５１】
図１は、本発明の実施例である車室温管理装置の概要構成を説明する概要構成図である。同図に示すように、車室温管理装置１は、ナビゲーション装置２、空調制御装置３、日照センサ２２、外気温センサ２３、室内気温センサ２４、車外カメラ２５、シートセンサ２６、イグニッションセンサ２７、車内通知系４、車外通知系５、灯火系６および通信系７と接続している。
【００５２】
ナビゲーション装置２は、自車両の走行経路の設定および誘導を行なう装置である。具体的には、ナビゲーション装置２は、ＧＰＳ通信部２１によって自車両の現在位置を取得し、地図データ２ａを用いて自車両が走行している道路を特定し、通知系４内部のディスプレイ４１およびスピーカ４２を用いて経路誘導を実行する。このナビゲーション装置２は、車室温度管理装置１に時刻情報および車両周辺の地図情報を出力する。
【００５３】
空調制御装置３は、ユーザからの指示や車室温管理装置１からの指示に基づいて車内の冷暖房を実行する装置である。また、この空調制御装置３に窓に設けた電動カーテンの動作を制御させてもよい。
【００５４】
日照センサ２２は、車両周辺の日照を測定するセンサである。この日照センサ２２は、たとえばフォトダイオードなどによって構成され、従来、照明の点灯制御などに用いられている。
【００５５】
外気温センサ２３は、自車両の外部の気温を測定するセンサであり、室内温度センサ２４は、車室内の気温を測定するセンサである。さらに、車外カメラ３８は、車両周辺を撮影する撮影手段である。
【００５６】
シートセンサ２６は、運転席など車両内の座席における乗員の着座状態を検出するセンサである。また、イグニッションセンサ２７は、ユーザがエンジンの始動・停止操作、車載機器の電源のオンオフ操作に用いるイグニッションキーの操作状態を検出するセンサである。
【００５７】
車内通知系４は、車内のユーザに対して通知を実行する装置群であり、具体的には、表示出力を行なう車内ディスプレイ４１、音声出力を行なう車内スピーカ４２などを有する。この車内通知系４は、車室温管理装置１、ナビゲーション装置２、空調制御装置３など各種車載機器に共用される。
【００５８】
車外通知系５は、具体的には、ホーン５１、車外スピーカ５２、車外ディスプレイ５３などを有する。ここで、ホーン５１は、本来走行時に警音を出力するものであるが、近年、車両近傍のユーザに対する通知装置としても用いられている。また、車外スピーカ５２は、車両外部に音声出力を行なう装置であり、車外ディスプレイ５３は車両外部から視認可能に設けられた表示手段である。
【００５９】
灯火系６は、ヘッドライト６１、ウィンカーランプ６２や、図示しないブレーキランプなどを有する。この灯火系６に含まれる装置は、本来、走行時の照明や右左折の予定の表明、減速の通知などに使用するものであるが、ホーン５１と同様、車両近傍のユーザに対する通知装置としても用いられている。
【００６０】
通信系７は、車両と外部との通信を行なう装置群であり、間接通知装置７１、直接通信装置７２、路車間通信装置７３などを有する。間接通信装置７１は、電話回線やインターネットなどを介してユーザが所持する端末や所定の連絡先等と通信する間接通信手段である。
【００６１】
また、直接通信装置７２は、ユーザが所持する端末、例えば車両のドアロック機構を遠隔操作するリモートキー端末などと直接に通信する直接通信手段である。なお、直接通信装置７２が通信する端末と、間接通信装置７１が通信する端末とは一体に形成してもよく、さらに携帯電話機能など他の機能を持たせてもよい。
【００６２】
また、路車間通信装置７３は、路面に設置した路側通信装置と通信し、路面の情報や交通情報などを取得する通信装置である。
【００６３】
車室温管理装置１４は、その内部に温度変化予測部１１、危険判定部１２、ユーザ位置検出部１３、空調処理部１４および通知処理部１５を有する。
【００６４】
ユーザ位置検出部１３は、車外カメラ２５、シートセンサ２６、イグニッションセンサ２７および通信系７の出力をもとに、ユーザの位置やその乗車・降車を検出する。具体的には、イグニッションセンサ２７の出力が、イグニッションキーがオンであることを示しているならば、運転席にユーザがいると推定することができる。また、シートセンサ２６の出力から、ユーザが車内に居るか否かを判定することができる。さらに、シートセンサ２６の出力は、車内に子供など他の乗員が居るか否かの判定にも用いることができる。この他、乗員が車内に居るか否かの判定には、車内を撮影するカメラなどを用いることができる。
【００６５】
つぎに、車外カメラ２５が撮影した画像を処理し、画像からユーザを識別することができたならば、ユーザが車両近傍に居ると判定することができる。同様に、ユーザが所持する携帯端末と直接通信装置７２とが通信可能であるならば、ユーザが車両近傍、少なくとも携帯端末と通信可能な距離の範囲内に居ると判定することができる。
【００６６】
一方で、シートセンサ２６やイグニッションセンサ２７の出力からユーザが車内に居ないことが判定され、車外カメラ２５や通信系７の出力から車両近傍にも居ないと判定された場合、ユーザ位置判定部１３は、ユーザと車両との距離が大きいと判定する。
【００６７】
温度変化予測部１１は、日照センサ２２、車外カメラ２５、ナビゲーション装置２が出力する時刻情報および車両周辺の地図情報を用いて、車両に差し込む日照量の変化を予測する。
【００６８】
具体的には、時刻情報（日時も含む）から、太陽の方向とその変化を特定でき、さらに自車両の向きを用いることで、車両内にどの程度日光が入るかを予測することができる。ここで、車両周辺に日光に対する遮蔽物、例えば建築物や他車両が存在する場合には、車内に差し込む日照量が減少するので、かかる遮蔽物の有無やその大きさを地図情報や車外カメラ２５から取得することで、車内に差し込む日照量の変化をより詳細に予測することができる。
【００６９】
また、その時の天候（晴れているか曇っているか、など）によっても自車両に入射する日光の量が変化するので、この天候の状態を日照センサ２２や路車間通信装置７３から取得して利用する。
【００７０】
温度変化予測部１１は、このようにして予測した日照量の変化と、外気温センサ２３、車室内温度センサ２４の出力をもとに、車室温がどのように変化するかを予測し、危険判定部１２および空調処理部１４に出力する。
【００７１】
危険判定処理部１２は、ユーザ位置検出部１３および温度変化予測部１１の出力をもとに、車内の温度が異常な温度になる可能性があるか否かを判定する。そして、その判定結果をもとに、必要がある場合に通知処理部１５がユーザや第三者への通知を実行する。
【００７２】
ここで、温度変化予測部１１による予測処理と危険判定部１２による危険判定処理について具体例を挙げて説明する。まず、図２では、時刻Ｔｉ１０から時刻Ｔｉ１１まで同一の室温Ｔｅ１０が続いている。その後、時刻Ｔｉ１において日照量が変化し、室温が上昇して時刻Ｔｉ１２に室温Ｔｉ１１に到達している。
【００７３】
ここで、室温の変化のみから車室温が異常な温度（ここでは、危険判定部１２は、室温Ｔｅ１１を閾値として使用している）に変化するか否かを判定したならば、時刻Ｔｉ以前には異常室温（室温Ｔｅ１１）への変化を予測することはできない。
【００７４】
しかしながら、日照量の変化を予測し、時刻Ｔｉ１１から室温が上昇すると予測することで、時刻Ｔｉ１２おける異常室温への到達を、時刻Ｔｉ１１以前に予見し、通知や対処を実行することが可能となる。
【００７５】
また、図３では、時刻Ｔｉ２０から時刻Ｔｉ２１の間において、室温はＴｅ２０から上昇し続けている。その後、時刻Ｔｉ２１において日照量が変化し、以降の室温はＴｅ２１となる。
【００７６】
ここで、室温の変化のみから車室温が異常な温度（ここでは、危険判定部１２は、室温Ｔｅ２２を閾値として使用している）に変化するか否かを判定したならば、時刻Ｔｉ以前の判定では時刻Ｔｉ２２に異常室温（室温Ｔｅ２２）に到達すると判定し、誤って通知を実行することとなる。
【００７７】
しかしながら、日照量の変化を予測し、時刻Ｔｉ２１から室温の上昇が停止すると予測したならば、誤った通知（時刻Ｔｉ２２に異常室温に到達することの通知）を防ぐことができる。
【００７８】
ここで、危険判定部１２が判定に用いる閾値は、任意に設定することができる。この時、例えば車内に乗員が誰も居ない状況と、子供が乗っている状況、ペットなどを乗せている状況、冷凍品などを載せている状況など、状況によって異なる判定閾値を用いてもよい。
【００７９】
すなわち、例えば車内に子供が居る状況であれば、子供に危険が及ぶことを避けるため、厳しい判定閾値（異常高温の検出に比較的低い閾値、異常低温の検出に比較的高い閾値）を用いることが望ましい。一方、車内に誰もいない状況では、異常高温による車内の異常、例えばスプレー缶やライターの破裂などを防ぐことが目的となるので、緩い閾値（異常高温の検出に比較的高い閾値、異常低温の検出に比較的低い閾値）を用いることができる。
【００８０】
このように、日照量の変化を予測してその結果を用いることで、車室温の変化を正確に予測し、適切な通知や対処を実行することができる。
【００８１】
この高精度な車室温の予測は、空調処理においても有用であり、空調処理部１４は温度変化予測部１１による予測結果を用いて空調制御装置３を制御する。
【００８２】
ここでは具体例として、空調処理部１４がユーザの乗車前に予め空調処理を実行し、ユーザの乗車時に快適な車室温となるよう制御する事前空調処理において温度変化予測部１１による予測結果を用いる場合について説明する。
【００８３】
図４に示すように、初期状態である時刻Ｔｉ３０において車室温Ｔｅ３０であり、ユーザが乗車を予定している時刻Ｔｉ３５に車室温Ｔｅ３１となるように事前空調処理を実行する場合、時刻Ｔｉ３０の車室温Ｔｅ３０のみから事前空調処理の開始タイミングを判断すると、時刻Ｔｉ３１に処理開始が必要であると判断される。
【００８４】
しかしながら、時刻Ｔｉ３２に日照量が変化して日照による車室温の上昇が発生すると、時刻Ｔｉ３２から車室温の上昇率が高まり、時刻Ｔｉ３５に比して早い時刻Ｔｉ３３に処理が終了し、本来不要であった空調処理を実行することとなる。
【００８５】
ここで、時刻Ｔｉ３２における日照量の変化を予測していたならば、空調処理の開始タイミングを時刻Ｔｉ３４と判定し、時刻Ｔｉ３５に目的の室温Ｔｅ３１に到達させることができる。
【００８６】
なお、図２および図３説明では、車室温の異常上昇を例として挙げたが、車室温の異常低下についても同様の処理によって判定可能である。また、図４の説明では暖房による事前空調処理について説明したが、冷房による事前空調処理についても同様に処理可能である。
【００８７】
つぎに、通知処理部１５について説明する。通知処理部１５は、危険判定部１２およびユーザ位置検出部１３の出力に基づいて、ユーザや第三者に対する通知処理を実行する処理部である。この通知処理部１５は、その内部に選択処理部１６を有しており、この選択処理部１６によって通知処理に使用する通知手段を選択する。
【００８８】
たとえば、危険判定部１２が車室温に異常が発生する可能性を検出した場合、選択処理部１６は、ユーザ位置検出部１３が出力するユーザの位置に基づいて使用する通知手段を選択する。具体的には、ユーザが車内に居る場合には車内通知系４を選択し、ユーザが車両の近傍に居る場合には、車外通知系５、灯火系６、直接通信装置７２などを選択する。
【００８９】
そして、ユーザが車両内や車両近傍に居ない場合には、通知の緊急度や危険の大きさ、ユーザが車両に帰れるか否か、などによって使用する通知手段や通知の内容を決定する。
【００９０】
より具体的には、車両に子供がいる状態で、車室温の異常上昇を予測した場合、車室温が閾値に達する予測時間までにユーザが車両に戻れるならば間接通信装置７１を用いてユーザに通知する。しかし、ユーザが車両に戻れない場合には、車外通知系５や灯火系６を用いて車両周辺に対して助けを求め、また間接通信装置７１によって車両の駐車場所の管理者などの第三者に通報する。
【００９１】
このユーザが車両に戻れるか否かの判断は、ユーザが車両を離れた時刻からユーザに通知するまでの時間が、ユーザに通知してから車室温が異常となる予測時刻（危険予測時刻）までの時間に比して大きいならば、ユーザが車両に戻ることができると判定すればよい。
【００９２】
すなわち、図５に示すように、ユーザが降車した時刻Ｔｉ４０から通知時刻Ｔｉ４１までの時間ΔＴ１が、通知時刻Ｔｉ４１から危険予測時刻Ｔｉ４３までの時間ΔＴ２に比して小さいならば、ユーザが時間ΔＴ１にどれだけ移動したとしても同じ時間をかけることで車両に戻れるものと判断する。
【００９３】
また、間接通信装置７１を用いてまずはユーザに対して通知し、その後、ΔＴ１＝ΔＴ２となるまでにユーザからの応答がなければ車両周辺や第三者に助けを求めることとしてもよい。
【００９４】
このようにユーザの位置や危険の発生までの時間、通知の緊急度や危険の大きさに基づいて使用する通知手段を選択することで、状況に適応した通知を実行し、不要な通知を抑制するとともに、危険を効果的に回避することが可能となる。
【００９５】
つぎに、車室温管理装置１の処理動作について説明する。図６は、車室温管理装置１における異常室温の予測処理と通知処理について説明するフローチャートである。この処理フローは、ユーザが降車した状態における処理フローであり、ユーザ位置検出部１３がユーザの降車を検出した場合に繰り返し実行される。
【００９６】
まず、温度変化予測部１１は、時刻、日照量、自車両の方向、遮蔽物などから自車両に差し込む日照量の変化を予測する（ステップＳ１０１）。つぎに、温度変化予測部１１は、日照量の変化、外気温、車内気温に基づいて、車内の気温変化を予測する（ステップＳ１０２）。
【００９７】
その後、危険判定部１２は車内温度に異常が発生する可能性があるか否かを判定し（ステップＳ１０３）、異常が発生する可能性がないならば（ステップＳ１０３，Ｎｏ）、処理を終了する。
【００９８】
一方、車内温度に異常が発生する可能性がある場合（ステップＳ１０３，Ｙｅｓ）、選択処理部１６は、ユーザ位置検出部１３の出力をもとに、ユーザが車両近傍に居るか否かを判定する（ステップＳ１０４）。
【００９９】
その結果、ユーザが車両近傍に居るならば（ステップＳ１０４，Ｙｅｓ）、通知処理部１５は、車外通知系５や灯火系６、直接通信装置７２を用いてユーザに対する近距離通知を実行し（ステップＳ１０５）、処理を終了する。
【０１００】
一方、ユーザが車両近傍に居ない場合（ステップＳ１０４，Ｎｏ）、選択処理部１６は、つぎにユーザが車両に戻れるか否かを判定する（ステップＳ１０６）。その結果、ユーザが車両に戻れるならば（ステップＳ１０６，Ｙｅｓ）、通知処理部１５は、間接通信装置７１を用いてユーザに対する遠距離通知を実行し（ステップＳ１０７）、処理を終了する。
【０１０１】
一方、ユーザが車両に戻れない場合（ステップＳ１０６，Ｎｏ）、通知処理部１０８は、車外通知系５や灯火系６を用いた車両近傍の第三者への通知や、間接通信装置７１を用いた第三者への通知を実行して（ステップＳ１０８）、処理を終了する。
【０１０２】
ここで、この処理フローをユーザの降車後に繰り返し実行するのは、他車両などの遮蔽物が移動や天候の変化などによって車両の状況が変化し、降車時点では判定できなかった異常室温が生ずる可能性があるためである。
【０１０３】
つづいて、車室温管理装置１による事前空調処理における処理動作を図７に示したフローチャートを参照して説明する。この処理フローは、事前空調処理の実行が指示されている場合に実行される。
【０１０４】
同図に示すように、まず、温度変化予測部１１は、時刻、日照量、自車両の方向、遮蔽物などから自車両に差し込む日照量の変化を予測する（ステップＳ２０１）。つぎに、温度変化予測部１１は、日照量の変化、外気温、車内気温に基づいて、車内の気温変化を予測する（ステップＳ２０２）。
【０１０５】
その後、空調処理部１４は、乗車時点で適切な室温にする為に必要な空調制御の開始タイミングおよび制御量を算出する（ステップＳ２０３）。そして、算出したタイミングおよび制御量で空調制御を実行して（ステップＳ２０４）、処理を終了する。したがって、例えば乗車時にかなりの高温が予想された場合は早めに空調処理を実行する、などの制御を実現することができる。
【０１０６】
上述してきたように、本実施例にかかる車室温監視装置は、車両に差し込む日照量の変化から車室の温度変化を予測するので、室温における異常の発生を高精度に予測することができるとともに、空調制御を最適化することができる。
【０１０７】
また、ユーザの位置や危険の発生までの時間、通知の緊急度や危険の大きさに基づいて使用する通知手段を選択することで、状況に適応した通知を実行し、不要な通知を抑制するとともに、危険を効果的に回避することが可能となる。
【産業上の利用可能性】
【０１０８】
以上のように、本発明にかかる車室温監視装置は、車両の監視に有用であり、特に車内の室温における異常発生の防止や空調処理の最適化に適している。
【図面の簡単な説明】
【０１０９】
【図１】本発明の実施例にかかる車室温監視装置の概要構成を示す概要構成図である。
【図２】室温の予測と危険判定について説明する説明図である（その１）。
【図３】室温の予測と危険判定について説明する説明図である（その２）。
【図４】室温の予測と空調処理について説明する説明図である。
【図５】ユーザが車両に戻れるか否かの判断について説明する説明図である。
【図６】異常室温の予測処理と通知処理について説明するフローチャートである。
【図７】事前空調処理における処理動作について説明するフローチャートである。
【符号の説明】
【０１１０】
１    車室温管理装置
２    ナビゲーション装置
２ａ  地図データ
３    空調制御装置
４    車内通知系
５    車外通知系
６    灯火系
７    通信系
１１    温度変化予測部
１２    危険判定部
１３    ユーザ位置検出部
１４    空調処理部
１５    通知処理部
１６    選択処理部
２１    ＧＰＳ通信部
２２    日照センサ
２３    外気温センサ
２４    室内気温センサ
２５    車外カメラ
２６    シートセンサ
２７    イグニッションセンサ
４１    車内ディスプレイ
４２    車内スピーカ
５１    ホーン
５２    車外スピーカ
５３    車外ディスプレイ
６１    ヘッドライト
６２    ウィンカーランプ
７１    間接通信装置
７２    直接通信装置
７３    路車間通信装置
【図１】
2005343386.tif 000003
【図２】
2005343386.tif 000004
【図３】
2005343386.tif 000005
【図４】
2005343386.tif 000006
【図５】
2005343386.tif 000007
【図６】
2005343386.tif 000008
【図７】
2005343386.tif 000009